(57)【要約】【課題】入力装置の重量を軽減して身体が不自由な人物でも容易に操作することができ、また、入力装置の構造を簡素化して製造コストを低減することができるようにする。【解決手段】入力装置２が、本体１１と、本体の外面に設けられて、複数の入力情報の各々を表す画像が表示された複数の表示部１２と、本体に設けられて、複数の入力情報の各々に対応するＩＤ信号をＲＦＩＤリーダ４に送信する複数のＲＦＩＤタグ１と、を備え、入力すべき入力情報に対応する表示部が上向きとなるように本体の姿勢を調整して、誘電体からなる遮蔽物としての受け台３に載置する入力操作をユーザに行わせることで、入力すべき入力情報に対応するＲＦＩＤタグが、受け台に接近して通信無効状態となり、残りのＲＦＩＤタグが、受け台から離間して通信有効状態となるようにする。【選択図】図１
2019101953.tif 000002
【特許請求の範囲】
【請求項１】
ユーザが行う入力操作に応じた情報を入力する入力装置であって、
本体と、
前記本体の外面に設けられて、複数の入力情報の各々を表す画像が表示された複数の表示部と、
前記本体に設けられて、複数の前記入力情報の各々に対応するＩＤ信号をＲＦＩＤリーダに送信する複数のＲＦＩＤタグと、
を備え、
入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となることを特徴とする入力装置。
【請求項２】
前記本体は、多面体状に形成され、
前記表示部は、前記本体の各面に設けられ、
前記ＲＦＩＤタグは、当該ＲＦＩＤタグに対応する前記表示部と相反する面に配置されていることを特徴とする請求項１に記載の入力装置。
【請求項３】
前記入力情報は、被介護者が介護者に指示する介護作業に関する情報であることを特徴とする請求項１に記載の入力装置。
【請求項４】
前記入力情報は、顧客が注文する商品に関する情報であることを特徴とする請求項１に記載の入力装置。
【請求項５】
前記表示部として、前記入力情報としての指示情報を選択する複数の指示用の表示部と、直前に行った入力操作で入力した前記指示情報を確定する確定用の表示部と、を備えることを特徴とする請求項１に記載の入力装置。
【請求項６】
前記本体は、ユーザの身体の一部が挿入される穴を有することを特徴とする請求項１に記載の入力装置。
【請求項７】
前記本体は、リング状に形成され、その内周面において、前記遮蔽物と近接または離間可能に回転することを特徴とする請求項１に記載の入力装置。
【請求項８】
ＲＦＩＤタグのＩＤ情報と、このＩＤ情報に対応する入力情報とを予め記憶する記憶部と、
ＲＦＩＤリーダから、複数のＲＦＩＤタグの前記ＩＤ情報を含むＩＤ信号の受信状況に関する受信信号情報を受信する通信部と、
前記受信信号情報に基づいて、通信無効状態の前記ＲＦＩＤタグを選択して、そのＲＦＩＤタグの前記ＩＤ情報に対応する前記入力情報を取得する制御部と、
を備えることを特徴とする制御装置。
【請求項９】
前記制御部は、取得した前記入力情報に関する情報を所定の表示装置に表示することを特徴とする請求項８に記載の制御装置。
【請求項１０】
前記記憶部は、前記入力情報として、指示の内容を表す指示情報と、この指示情報を確定する確定用の情報とを記憶し、
前記制御部は、取得した前記入力情報が前記確定用の情報である場合に、直前に取得した前記入力情報を指示の内容として確定することを特徴とする請求項８に記載の制御装置。
【請求項１１】
ユーザが行う入力操作に応じた入力情報を取得する情報入力システムであって、
複数のＲＦＩＤタグが設けられた入力装置と、
誘電体からなる遮蔽物と、
ＲＦＩＤリーダと、
制御装置と、
を備え、
前記入力装置は、
本体と、
前記本体の外面に設けられて、複数の入力情報の各々を表す画像が表示された複数の表示部と、
前記本体に設けられて、複数の前記入力情報の各々に対応するＩＤ信号を前記ＲＦＩＤリーダに送信する複数の前記ＲＦＩＤタグと、
を備え、
入力すべき前記入力情報に対応する前記表示部が所定の向きとなるように前記本体の姿勢を調整する入力操作をユーザに行わせることで、入力すべき前記入力情報に対応する前記ＲＦＩＤタグが、前記遮蔽物に接近して通信無効状態となり、残りの前記ＲＦＩＤタグが、前記遮蔽物から離間して通信有効状態となり、
前記ＲＦＩＤリーダは、
前記ＲＦＩＤタグから前記ＩＤ信号を受信するアンテナと、
複数の前記ＲＦＩＤタグごとの前記ＩＤ信号の受信状況に関する受信信号情報を取得する制御部と、
前記受信信号情報を前記制御装置に送信する通信部と、
を備え、
前記制御装置は、
前記ＲＦＩＤリーダから前記受信信号情報を受信する通信部と、
前記受信信号情報に基づいて、前記通信無効状態の前記ＲＦＩＤタグを選択して、そのＲＦＩＤタグに対応する前記入力情報を取得する制御部と、
を備えることを特徴とする情報入力システム。
【請求項１２】
前記遮蔽物は、前記入力装置を受容する凹所が形成され、この凹所の内部に、誘電体からなる遮蔽部が設けられていることを特徴とする請求項１１に記載の情報入力システム。
【請求項１３】
前記遮蔽物は、複数の前記ＲＦＩＤタグに同時に近接する複数の遮蔽部を備えることを特徴とする請求項１１に記載の情報入力システム。
【請求項１４】
複数の前記入力装置を備え、
前記制御装置の前記制御部は、複数の前記入力装置の各々について、前記通信無効状態の前記ＲＦＩＤタグを選択して、複数の前記入力装置ごとの前記入力情報を取得することを特徴とする請求項１１に記載の情報入力システム。
【請求項１５】
複数の前記入力装置として、前記入力情報としての指示情報を選択する指示用の入力装置と、前記指示情報を確定する確定用の入力装置と、を備えることを特徴とする請求項１４に記載の情報入力システム。
【請求項１６】
ユーザが行う入力操作に応じて情報を入力する情報入力方法であって、
本体と、前記本体の外面に設けられて、複数の入力情報の各々を表す画像が表示された複数の表示部と、前記本体に設けられて、複数の前記入力情報の各々に対応するＩＤ信号をＲＦＩＤリーダに送信する複数のＲＦＩＤタグと、を備えた入力装置において、入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となり、
前記ＲＦＩＤリーダが、
前記ＲＦＩＤタグから前記ＩＤ信号を受信すると、そのＩＤ信号の受信状況に関する受信信号情報を取得して、その受信信号情報を制御装置に送信し、
前記制御装置が、
前記ＲＦＩＤリーダから前記受信信号情報を受信すると、その受信信号情報に基づいて、前記通信無効状態の前記ＲＦＩＤタグを選択して、そのＲＦＩＤタグに対応する前記入力情報を取得することを特徴とする情報入力方法。
【発明の詳細な説明】
【技術分野】
【０００１】
本発明は、ユーザが行う入力操作に応じた情報を入力する入力装置、入力情報を取得する制御装置、ユーザが行う入力操作に応じた入力情報を取得する情報入力システム、およびユーザが行う入力操作に応じて情報を入力する情報入力方法に関するものである。
【背景技術】
【０００２】
高齢者が入所している介護施設では、被介護者（入居者）の依頼に応じて種々の介護作業を介護者（施設職員）が行っているが、被介護者が発話に障害がある場合には、依頼内容を明確に介護者に伝えることが難しい。また、このような人物でも、声を上げたり手を上げたりして介護者を呼びつけることはできるが、その都度、介護者が被介護者のところまで行って依頼を聞くのは非常に手間がかかるという問題がある。そこで、身体が不自由な人物でも容易に操作することができる入力装置が望まれる。
【０００３】
このような要望に応える技術として、従来、ＲＦＩＤ（Radio Frequency IDentification）を用いた入力装置の技術が知られている（特許文献１参照）。この入力装置は、入力装置の姿勢の変化に応じて、複数のＲＦＩＤタグが、金属板に接近して信号を正常に送信できない状態となったり、金属板から離間して信号を正常に送信できる状態となったりするように構成して、入力装置の姿勢を変化させる操作を行うことで、信号を正常に送信できるＲＦＩＤタグが切り替わることで、信号を正常に受信できた１つのＲＦＩＤタグに対応する情報を入力情報として取得するようにしている。
【先行技術文献】
【特許文献】
【０００４】
【特許文献１】特開２００９−１２３１６２号公報
【発明の概要】
【発明が解決しようとする課題】
【０００５】
しかしながら、前記従来の技術では、入力装置の内部に金属板を設けることから、入力装置が重くなり、身体が不自由な人物ではうまく操作できないという問題があった。また、入力装置の構造が複雑になるため、製造コストが嵩むという問題があった。
【０００６】
そこで、本発明は、入力装置の重量を軽減して身体が不自由な人物でも容易に操作することができ、また、入力装置の構造を簡素化して製造コストを低減することができる入力装置、制御装置、情報入力システムおよび情報入力方法を提供することを主な目的とする。
【課題を解決するための手段】
【０００７】
本発明の入力装置は、ユーザが行う入力操作に応じた情報を入力する入力装置であって、本体と、前記本体の外面に設けられて、複数の入力情報の各々を表す画像が表示された複数の表示部と、前記本体に設けられて、複数の前記入力情報の各々に対応するＩＤ信号をＲＦＩＤリーダに送信する複数のＲＦＩＤタグと、を備え、入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となる構成とする。
【０００８】
また、本発明の制御装置は、ＲＦＩＤタグのＩＤ情報と、このＩＤ情報に対応する入力情報とを予め記憶する記憶部と、ＲＦＩＤリーダから、複数のＲＦＩＤタグの前記ＩＤ情報を含むＩＤ信号の受信状況に関する受信信号情報を受信する通信部と、前記受信信号情報に基づいて、通信無効状態の前記ＲＦＩＤタグを選択して、そのＲＦＩＤタグの前記ＩＤ情報に対応する前記入力情報を取得する制御部と、を備える構成とする。
【０００９】
また、本発明の情報入力システムは、ユーザが行う入力操作に応じた入力情報を取得する情報入力システムであって、複数のＲＦＩＤタグが設けられた入力装置と、誘電体からなる遮蔽物と、ＲＦＩＤリーダと、制御装置と、を備え、前記入力装置は、本体と、前記本体の外面に設けられて、複数の入力情報の各々を表す画像が表示された複数の表示部と、前記本体に設けられて、複数の前記入力情報の各々に対応するＩＤ信号を前記ＲＦＩＤリーダに送信する複数の前記ＲＦＩＤタグと、を備え、入力すべき前記入力情報に対応する前記表示部が所定の向きとなるように前記本体の姿勢を調整する入力操作をユーザに行わせることで、入力すべき前記入力情報に対応する前記ＲＦＩＤタグが、前記遮蔽物に接近して通信無効状態となり、残りの前記ＲＦＩＤタグが、前記遮蔽物から離間して通信有効状態となり、前記ＲＦＩＤリーダは、前記ＲＦＩＤタグから前記ＩＤ信号を受信するアンテナと、複数の前記ＲＦＩＤタグごとの前記ＩＤ信号の受信状況に関する受信信号情報を取得する制御部と、前記受信信号情報を前記制御装置に送信する通信部と、を備え、前記制御装置は、前記ＲＦＩＤリーダから前記受信信号情報を受信する通信部と、前記受信信号情報に基づいて、前記通信無効状態の前記ＲＦＩＤタグを選択して、そのＲＦＩＤタグに対応する前記入力情報を取得する制御部と、を備える構成とする。
【００１０】
また、本発明の情報入力方法は、ユーザが行う入力操作に応じて情報を入力する情報入力方法であって、本体と、前記本体の外面に設けられて、複数の入力情報の各々を表す画像が表示された複数の表示部と、前記本体に設けられて、複数の前記入力情報の各々に対応するＩＤ信号をＲＦＩＤリーダに送信する複数のＲＦＩＤタグと、を備えた入力装置において、入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となり、前記ＲＦＩＤリーダが、前記ＲＦＩＤタグから前記ＩＤ信号を受信すると、そのＩＤ信号の受信状況に関する受信信号情報を取得して、その受信信号情報を制御装置に送信し、前記制御装置が、前記ＲＦＩＤリーダから前記受信信号情報を受信すると、その受信信号情報に基づいて、前記通信無効状態の前記ＲＦＩＤタグを選択して、そのＲＦＩＤタグに対応する前記入力情報を取得する構成とする。
【発明の効果】
【００１１】
本発明によれば、通信無効状態となるＲＦＩＤタグを選択して、そのＲＦＩＤタグに対応する入力情報を取得することで、ユーザが選択した入力情報を取得することができる。これにより、入力装置の内部に金属板を設ける必要がないことから、入力装置の重量を軽減して身体が不自由な人物でも容易に操作することができ、また、入力装置の構造を簡素化して製造コストを低減することができる。
【図面の簡単な説明】
【００１２】
【図１】第１実施形態に係る情報入力システムの全体構成図
【図２】第１実施形態に係る入力装置２の断面図
【図３】第１実施形態に係る入力装置２の表示部１２とＲＦＩＤタグ１との対応関係を示す説明図
【図４】第１実施形態に係る各表示部１２に表示される画像、各ＲＦＩＤタグ１のＩＤ情報、各ＲＦＩＤタグ１に対応する入力情報、各ＲＦＩＤタグ１の受信感度、および選択結果の一例を示す説明図
【図５】第１実施形態に係るＲＦＩＤリーダ４および制御装置５の概略構成を示すブロック図
【図６】第１実施形態に係るＲＦＩＤリーダ４の動作手順を示すフロー図
【図７】第１実施形態に係る制御装置５の動作手順を示すフロー図
【図８】第１実施形態の変形例に係る入力装置２を用いた入力操作の状況を示す説明図
【図９】第１実施形態の変形例に係る表示装置６に表示される画面を示す説明図
【図１０】第２実施形態に係る入力装置１０１の使用状態を示す説明図
【図１１】第２実施形態に係る入力装置１０１の断面図
【図１２】第２実施形態の変形例に係る入力装置１０１および受け台１１１の断面図
【図１３】第３実施形態に係る入力装置１２１の断面図
【図１４】第４実施形態に係る入力装置２および受け台１３１を示す斜視図
【図１５】第５実施形態に係る情報入力システムを示す説明図
【図１６】第５実施形態の変形例に係る情報入力システムにおける入力操作の状況を示す説明図
【発明を実施するための形態】
【００１３】
前記課題を解決するためになされた第１の発明は、ユーザが行う入力操作に応じた情報を入力する入力装置であって、本体と、前記本体の外面に設けられて、複数の入力情報の各々を表す画像が表示された複数の表示部と、前記本体に設けられて、複数の前記入力情報の各々に対応するＩＤ信号をＲＦＩＤリーダに送信する複数のＲＦＩＤタグと、を備え、入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となる構成とする。
【００１４】
これによると、通信無効状態となるＲＦＩＤタグを選択して、そのＲＦＩＤタグに対応する入力情報を取得することで、ユーザが選択した入力情報を取得することができる。これにより、入力装置の内部に金属板を設ける必要がないことから、入力装置の重量を軽減して身体が不自由な人物でも容易に操作することができ、また、入力装置の構造を簡素化して製造コストを低減することができる。
【００１５】
また、第２の発明は、前記本体は、多面体状に形成され、前記表示部は、前記本体の各面に設けられ、前記ＲＦＩＤタグは、当該ＲＦＩＤタグに対応する前記表示部と相反する面に配置されている構成とする。
【００１６】
これによると、ユーザが、入力操作として、入力すべき入力情報に対応する表示部を上向きにした状態で入力装置を遮蔽物の上に載置するだけでよいため、入力操作が容易になる。
【００１７】
また、第３の発明は、前記入力情報は、被介護者が介護者に指示する介護作業に関する情報である構成とする。
【００１８】
これによると、被介護者が、希望する介護作業を介護者に容易に指示することができる。
【００１９】
また、第４の発明は、前記入力情報は、顧客が注文する商品に関する情報である構成とする。
【００２０】
これによると、顧客が、希望する商品を容易に注文することができる。
【００２１】
また、第５の発明は、前記表示部として、前記入力情報としての指示情報を選択する複数の指示用の表示部と、直前に行った入力操作で入力した前記指示情報を確定する確定用の表示部と、を備える構成とする。
【００２２】
これによると、１つの入力装置で複数の指示情報を連続して入力する際に、指示情報を確定する処理を、ユーザにとって分かりやすく行うことができる。
【００２３】
また、第６の発明は、前記本体は、ユーザの身体の一部が挿入される穴を有する構成とする。
【００２４】
これによると、ユーザの身体、例えば腕部や脚部などに入力装置を装着することで、ユーザが身体を動かすことで入力操作を行うことができる。このため、ユーザが、身体が不自由なために、手で把持して入力装置を操作できない場合でも、入力操作を容易に行うことができる。
【００２５】
また、第７の発明は、前記本体は、リング状に形成され、その内周面において、前記遮蔽物と近接または離間可能に回転する構成とする。
【００２６】
これによると、ユーザが、入力操作として、入力すべき入力情報に対応する表示部が所定の向きとなるように入力装置を回転させるだけでよいため、入力操作が容易になる。
【００２７】
また、第８の発明は、ＲＦＩＤタグのＩＤ情報と、このＩＤ情報に対応する入力情報とを予め記憶する記憶部と、ＲＦＩＤリーダから、複数のＲＦＩＤタグの前記ＩＤ情報を含むＩＤ信号の受信状況に関する受信信号情報を受信する通信部と、前記受信信号情報に基づいて、通信無効状態の前記ＲＦＩＤタグを選択して、そのＲＦＩＤタグの前記ＩＤ情報に対応する前記入力情報を取得する制御部と、を備える構成とする。
【００２８】
これによると、複数のＲＦＩＤタグのうちの特定のＲＦＩＤタグが通信無効状態となるような操作をユーザが行うことで、ユーザの操作に応じた入力情報を取得することができる。
【００２９】
また、第９の発明は、前記制御部は、取得した前記入力情報に関する情報を所定の表示装置に表示する構成とする。
【００３０】
これによると、ユーザの操作に応じた所要の情報を別の人物に通知することができる。
【００３１】
また、第１０の発明は、前記記憶部は、前記入力情報として、指示の内容を表す指示情報と、この指示情報を確定する確定用の情報とを記憶し、前記制御部は、取得した前記入力情報が前記確定用の情報である場合に、直前に取得した前記入力情報を指示の内容として確定する構成とする。
【００３２】
これによると、入力情報を指示の内容として順次に確定することができるため、複数の指示を連続して行うことができる。
【００３３】
また、第１１の発明は、ユーザが行う入力操作に応じた入力情報を取得する情報入力システムであって、複数のＲＦＩＤタグが設けられた入力装置と、誘電体からなる遮蔽物と、ＲＦＩＤリーダと、制御装置と、を備え、前記入力装置は、本体と、前記本体の外面に設けられて、複数の入力情報の各々を表す画像が表示された複数の表示部と、前記本体に設けられて、複数の前記入力情報の各々に対応するＩＤ信号を前記ＲＦＩＤリーダに送信する複数の前記ＲＦＩＤタグと、を備え、入力すべき前記入力情報に対応する前記表示部が所定の向きとなるように前記本体の姿勢を調整する入力操作をユーザに行わせることで、入力すべき前記入力情報に対応する前記ＲＦＩＤタグが、前記遮蔽物に接近して通信無効状態となり、残りの前記ＲＦＩＤタグが、前記遮蔽物から離間して通信有効状態となり、前記ＲＦＩＤリーダは、前記ＲＦＩＤタグから前記ＩＤ信号を受信するアンテナと、複数の前記ＲＦＩＤタグごとの前記ＩＤ信号の受信状況に関する受信信号情報を取得する制御部と、前記受信信号情報を前記制御装置に送信する通信部と、を備え、前記制御装置は、前記ＲＦＩＤリーダから前記受信信号情報を受信する通信部と、前記受信信号情報に基づいて、前記通信無効状態の前記ＲＦＩＤタグを選択して、そのＲＦＩＤタグに対応する前記入力情報を取得する制御部と、を備える構成とする。
【００３４】
これによると、第１の発明と同様に、入力装置の重量を軽減して身体が不自由な人物でも容易に操作することができ、また、入力装置の構造を簡素化して製造コストを低減することができる。
【００３５】
また、第１２の発明は、前記遮蔽物は、前記入力装置を受容する凹所が形成され、この凹所の内部に、誘電体からなる遮蔽部が設けられている構成とする。
【００３６】
これによると、入力装置が一定の姿勢に保持されるため、入力すべき入力情報に対応するＲＦＩＤタグが遮蔽部から離間して通信有効状態となることを避けることができる。
【００３７】
また、第１３の発明は、前記遮蔽物は、複数の前記ＲＦＩＤタグに同時に近接する複数の遮蔽部を備える構成とする。
【００３８】
これによると、同時に複数の情報を入力することができる。
【００３９】
また、第１４の発明は、複数の前記入力装置を備え、前記制御装置の前記制御部は、複数の前記入力装置の各々について、前記通信無効状態の前記ＲＦＩＤタグを選択して、複数の前記入力装置ごとの前記入力情報を取得する構成とする。
【００４０】
これによると、同時に複数の情報を入力することができる。
【００４１】
また、第１５の発明は、複数の前記入力装置として、前記入力情報としての指示情報を選択する指示用の入力装置と、前記指示情報を確定する確定用の入力装置と、を備える構成とする。
【００４２】
これによると、複数の入力装置で複数の指示情報を同時に入力する際に、指示情報を確定する処理を、ユーザにとって分かりやすく行うことができる。
【００４３】
また、第１６の発明は、ユーザが行う入力操作に応じて情報を入力する情報入力方法であって、本体と、前記本体の外面に設けられて、複数の入力情報の各々を表す画像が表示された複数の表示部と、前記本体に設けられて、複数の前記入力情報の各々に対応するＩＤ信号をＲＦＩＤリーダに送信する複数のＲＦＩＤタグと、を備えた入力装置において、入力すべき前記入力情報に対応する前記表示部が所定の向きとなるように前記本体の姿勢を調整する入力操作をユーザに行わせることで、入力すべき前記入力情報に対応する前記ＲＦＩＤタグが、誘電体からなる遮蔽物に接近して通信無効状態となり、残りの前記ＲＦＩＤタグが、前記遮蔽物から離間して通信有効状態となり、前記ＲＦＩＤリーダが、前記ＲＦＩＤタグから前記ＩＤ信号を受信すると、そのＩＤ信号の受信状況に関する受信信号情報を取得して、その受信信号情報を制御装置に送信し、前記制御装置が、前記ＲＦＩＤリーダから前記受信信号情報を受信すると、その受信信号情報に基づいて、前記通信無効状態の前記ＲＦＩＤタグを選択して、そのＲＦＩＤタグに対応する前記入力情報を取得する構成とする。
【００４４】
これによると、第１の発明と同様に、入力装置の重量を軽減して身体が不自由な人物でも容易に操作することができ、また、入力装置の構造を簡素化して製造コストを低減することができる。
【００４５】
以下、本発明の実施の形態を、図面を参照しながら説明する。
【００４６】
（第１実施形態）
図１は、第１実施形態に係る情報入力システムの全体構成図である。
【００４７】
この情報入力システムは、ユーザが行う入力操作に応じた入力情報を取得するものであり、複数のＲＦＩＤタグ１が設けられた入力装置２と、受け台３（遮蔽物）と、ＲＦＩＤリーダ４と、制御装置５と、表示装置６と、を備えている。本実施形態では、この情報入力システムにより、ユーザ（被介護者）が希望する介護作業を介護者に通知する。
【００４８】
入力装置２は、ユーザが入力操作を行うものである。本実施形態では、入力装置２を用いてユーザ（被介護者）が希望する介護作業を指定する入力操作を行う。この入力装置２は、立方体状の本体１１を備えており、この本体１１の各面には、介護作業を表す画像が表示された表示部１２が設けられており、各表示部１２の裏面側には、各表示部に対応するＲＦＩＤタグ１が各々設けられている。
【００４９】
なお、ＲＦＩＤタグ１は、ＩＤ情報を記憶するメモリと、ＩＤ情報を含むＩＤ信号を送信するアンテナと、ＩＤ信号の送信を制御する制御回路と、を備えている。
【００５０】
受け台３は、金属材料（誘電体材料）により平板状に形成されている。本実施形態では、ユーザが希望する介護作業を指定する入力操作として、ユーザが希望する介護作業を表す画像が表示された表示部１２を上向きにした状態で入力装置２を受け台３に載置する操作を行う。
【００５１】
なお、本実施形態では、入力装置２を受け台３に載置した状態をオン状態とし、入力装置２を受け台３に載置していない状態をオフ状態とする。また、ユーザが入力装置２で入力操作を行うことで、被介護者が希望する介護作業が介護者に通知されて、介護者が介護作業に着手するときに、介護者が入力装置２をオフ状態とすればよい。また、金属製の家具を受け台として使用するようにしてもよい。
【００５２】
ＲＦＩＤリーダ４は、入力装置２の使用エリアの天井などに設置され、入力装置２のＲＦＩＤタグ１から送信されるＩＤ信号を受信し、そのＩＤ信号の受信状況に関する受信信号情報を制御装置５に送信する。なお、ＲＦＩＤタグ１およびＲＦＩＤリーダ４を、比較的長い通信距離（例えば５ｍ）で通信ができるように構成することで、各ユーザが操作する複数の入力装置２でＲＦＩＤリーダ４を共用することができる。
【００５３】
制御装置５は、情報処理装置で構成され、ＲＦＩＤリーダ４から受信した受信信号情報に基づいて、入力装置２を用いたユーザの入力操作に応じた入力情報を取得する。本実施形態では、入力情報として、ユーザ（被介護者）が指定した介護作業に関する指示情報を取得する。
【００５４】
表示装置６は、制御装置５により制御され、ユーザ（被介護者）が依頼した介護作業を介護者に指示する指示画面を表示する。この指示画面には、介護作業を依頼したユーザの名前と、依頼した介護作業（指示情報）と、が表示される。
【００５５】
次に、第１実施形態に係る入力装置２について説明する。図２は、入力装置２の断面図である。図３は、入力装置２の表示部１２とＲＦＩＤタグ１との対応関係を示す説明図である。この図３では、入力装置２の各面を展開して示している。図４は、各表示部１２に表示される画像、各ＲＦＩＤタグ１のＩＤ情報、各ＲＦＩＤタグ１に対応する入力情報、各ＲＦＩＤタグ１の受信感度、および選択結果の一例を示す説明図である。
【００５６】
入力装置２は、立方体状の本体１１を備え、その本体１１の各面に、入力情報を表す画像が表示された表示部１２が設けられ、各表示部１２の裏面側には、ＲＦＩＤタグ１が設けられている。具体的には、例えば、表示部１２をプラスチック製の表示シートで構成して、この表示シートとＲＦＩＤタグ１とをラミネート加工により一体化した上で本体１１に固定するようにすればよい。
【００５７】
この入力装置２では、入力操作として、ユーザが、表示部１２に表示された入力情報の画像を見て、入力すべき入力情報に対応する表示部が所定の向きとなるように入力装置２の姿勢を調整した上で、入力装置２を受け台３に載置する。本実施形態では、入力すべき入力情報を表す画像が表示された表示部１２を上向きにした状態で入力装置２を受け台３に載置する。
【００５８】
ここで、本実施形態では、ユーザ（被介護者）が入力装置２を用いて介護者に各種の介護作業を指示する。入力装置２の各面に設けられた表示部１２には、介護作業を示す画像が表示されており、ユーザは、複数の介護作業の中から、希望する介護作業を選択することができる。この介護作業を指定する入力操作として、希望する介護作業を示す画像が表示された表示部１２を上にして受け台３の上に入力装置２を載置する。
【００５９】
このように入力装置２を受け台３に載置すると、下面のＲＦＩＤタグ１は、受け台３に接近した状態となり、通信が金属製の受け台３により妨害されることで、ＩＤ信号を正常に送信できない通信無効状態となる。一方、残りの面のＲＦＩＤタグ１は、受け台３から離間していることから、通信が受け台３により妨害されることがないため、ＩＤ信号を正常に送信できる通信有効状態となる。このように本実施形態では、入力装置２を受け台３に載置することで、１つのＲＦＩＤタグ１のみが通信無効状態となり、残りの５つのＲＦＩＤタグ１が通信有効状態となる。
【００６０】
ここで、本実施形態では、図３に破線の双方向の矢印で示すように、入力装置２の各表示部１２は、相反する面のＲＦＩＤタグ１と対応付けられており、各ＲＦＩＤタグ１は、これに対応する表示部１２、すなわち、自身のＩＤ信号に対応する入力情報を表す画像が表示された表示部１２と相反する面に配置されている。このため、入力すべき入力情報を表す画像が表示された表示部１２を上向きにした状態とすると、その上面の表示部１２に対応する下面のＲＦＩＤタグ１が通信無効状態となる。これにより、制御装置５では、通信無効状態となるＲＦＩＤタグ１を選択して、そのＲＦＩＤタグ１に対応する入力情報を取得することで、ユーザが選択した表示部１２に対応する入力情報（指示情報）を取得することができる。
【００６１】
図３に示す例では、第１の表示部１２に本人の画像が表示されている。この第１の表示部１２に対応する第１のＲＦＩＤタグ１のＩＤ情報は、本人の情報（名前など）に対応付けられており、これにより、入力装置２を操作したユーザを特定することができる。
【００６２】
第２の表示部１２にはコップの画像が表示されている。この第２の表示部１２に対応する第１のＲＦＩＤタグ１のＩＤ情報は、飲み水を持ってきて欲しいという指示情報に対応付けられている。
【００６３】
第３の表示部１２には歯磨きの画像が表示されている。この第３の表示部１２に対応する第１のＲＦＩＤタグ１のＩＤ情報は、歯を磨いて欲しいという指示情報に対応付けられている。
【００６４】
第４の表示部１２にはベッドの画像が表示されている。この第４の表示部１２に対応する第１のＲＦＩＤタグ１のＩＤ情報は、ベッドに連れて行って欲しいという指示情報に対応付けられている。
【００６５】
第５の表示部１２にはトイレの画像が表示されている。この第５の表示部１２に対応する第１のＲＦＩＤタグ１のＩＤ情報は、トイレに連れて行って欲しいという指示情報に対応付けられている。
【００６６】
第６の表示部１２には介護者の画像が表示されている。この第６の表示部１２に対応する第１のＲＦＩＤタグ１のＩＤ情報は、介護者に来て欲しいという指示情報に対応付けられている。
【００６７】
また、本実施形態では、図４に示すように、ＲＦＩＤタグ１から送信されるＩＤ信号をＲＦＩＤリーダ４で受信した際の受信感度を測定して、このＩＤ信号の受信感度に基づいて、ＲＦＩＤタグ１が、ＩＤ信号を正常に送信できない通信無効状態であるか、ＩＤ信号を正常に送信できる通信有効状態であるかを判定する。
【００６８】
ここで、入力装置２を受け台３の上に載置していないオフ状態では、各ＲＦＩＤタグ１の受信感度に大きな違いはない。一方、入力装置２を受け台３の上に載置したオン状態では、受け台３に近接する側（下面）のＲＦＩＤタグ１において、ＩＤ信号の受信感度が大きく低下するか、あるいはＩＤ信号を受信することができない。
【００６９】
図４に示す例は、コップの画像が表示された第２の表示部１２を上にして受け台３の上に入力装置２を置いた場合である。この場合、第２の表示部１２に対応する第２のＲＦＩＤタグ１が受け台３に近接し、この第２のＲＦＩＤタグ１において、ＩＤ信号の受信感度が大きく低下するか、あるいはＩＤ信号を受信することができない。このため、第２のＲＦＩＤタグ１が、通信無効状態のＲＦＩＤタグ１として選択され、第２のＲＦＩＤタグ１に対応する入力情報、すなわち、飲み水を持ってきて欲しいという指示情報を取得することができる。
【００７０】
なお、本実施形態では、入力装置２により、入力情報として、介護作業に関する指示情報を入力するようにしたが、テレビジョン受像機を制御する制御情報を入力装置２で入力するようにして、入力装置２を操作することで、テレビジョン受像機の電源のオンオフ、チャンネルの切り換え、音量の調整などの操作ができるようにしてもよい。この場合、電源のオンオフなどの制御内容を表す表示部１２を入力装置２に設ければよい。また、テレビジョン受像機を制御するため、制御装置５を、テレビジョン受像機と通信を行う構成として、制御装置５からテレビジョン受像機に制御信号を送信するようにすればよい。
【００７１】
次に、第１実施形態に係るＲＦＩＤリーダ４および制御装置５の概略構成について説明する。図５は、ＲＦＩＤリーダ４および制御装置５の概略構成を示すブロック図である。
【００７２】
ＲＦＩＤリーダ４は、ＲＦＩＤアンテナ４１と、通信部４２と、制御部４３と、記憶部４４と、を備えている。
【００７３】
ＲＦＩＤアンテナ４１は、入力装置２のＲＦＩＤタグ１と通信を行い、ＲＦＩＤタグ１から送信されるＩＤ信号を受信する。なお、本実施形態では、ＲＦＩＤタグ１を、内部に電池を備えていない受動型として、ＲＦＩＤアンテナ４１から放射される電波によりＲＦＩＤタグ１と通信するが、ＲＦＩＤタグ１を、内部に電池を備えた能動型として電波を発信させてもよい。
【００７４】
通信部４２は、制御装置５と通信を行い、制御部４３で取得した受信信号情報を制御装置５に送信する。
【００７５】
記憶部４４は、制御部４３を構成するプロセッサで実行されるプログラムを記憶する。
【００７６】
制御部４３は、受信感度測定部４５を備えている。この制御部４３は、プロセッサで構成され、制御部４３の受信感度測定部４５は、記憶部４４に記憶されたプログラムをプロセッサで実行することで実現される。
【００７７】
受信感度測定部４５は、ＲＦＩＤアンテナ４１でＲＦＩＤタグ１から受信したＩＤ信号の受信感度（電波強度）を測定する。この受信感度測定部４５による受信感度の測定結果は、ＩＤ信号に含まれるＩＤ情報とともに、受信信号情報として制御装置５に送信される。
【００７８】
制御装置５は、通信部５１と、制御部５２と、記憶部５３と、を備えている。
【００７９】
通信部５１は、ＲＦＩＤリーダ４と通信を行い、ＲＦＩＤリーダ４から送信される受信信号情報を受信する。
【００８０】
記憶部５３は、制御部５２を構成するプロセッサで実行されるプログラムを記憶する。また、記憶部５３は、ＲＦＩＤタグ１のＩＤ情報が指示情報（入力情報）に対応付けて登録された管理情報を記憶する。
【００８１】
制御部５２は、入力情報取得部５５と、表示制御部５６と、を備えている。この制御部５２は、プロセッサで構成され、制御部５２の各部は、記憶部５３に記憶されたプログラムをプロセッサで実行することで実現される。
【００８２】
入力情報取得部５５は、通信部５１で受信した受信信号情報に基づいて、ＩＤ信号を正常に受信できない通信無効状態のＲＦＩＤタグ１を選択して、そのＲＦＩＤタグ１に対応する指示情報（入力情報）を取得する。
【００８３】
また、入力情報取得部５５は、入力装置２が同一の向きで受け台３に載置された状態が所定時間継続した場合に、指示情報（入力情報）を確定する。具体的には、通信無効状態のＲＦＩＤタグ１が変化しない、すなわち、所定時間連続して同一のＲＦＩＤタグ１を通信無効状態のＲＦＩＤタグ１として選択した場合に、入力情報を確定する。
【００８４】
表示制御部５６は、入力情報取得部５５で取得した指示情報（入力情報）に基づいて、介護作業を介護者に指示する指示画面を表示装置６に表示する。また、表示制御部５６は、入力情報取得部５５で選択したＲＦＩＤタグ１のＩＤ情報からユーザを特定して、ユーザの名前を指示画面に表示する。
【００８５】
ところで、入力装置２を受け台３に載置したとき、入力装置２の位置や向きによっては、ＲＦＩＤタグ１から送信されるＩＤ信号をＲＦＩＤリーダ４で適切に受信できない状態（ヌル点）になることがある。この状態では、複数のＲＦＩＤタグ１のＩＤ信号を正常に受信できないため、通信無効状態のＲＦＩＤタグ１を１つに絞り込むことができず、入力情報を取得することができない。
【００８６】
そこで、本実施形態では、入力情報取得部５５でＲＦＩＤタグ１を１つに絞り込むことができなかった場合には、表示制御部５６が、入力装置２の入力操作に誤りがあることを表すエラー画面を表示装置６に表示する。介護者は、エラー画面で入力操作に誤りがあることを確認すると、該当するユーザに入力操作をやり直す、具体的には、入力装置２の位置や向きをずらすようにユーザに催促する。
【００８７】
次に、第１実施形態に係るＲＦＩＤリーダ４の動作手順について説明する。図６は、ＲＦＩＤリーダ４の動作手順を示すフロー図である。
【００８８】
ＲＦＩＤリーダ４では、電源が投入されると、まず、ＲＦＩＤタグ１に通信するための電波をＲＦＩＤアンテナ４１から放射する（ＳＴ１０１）。そして、入力装置２のＲＦＩＤタグ１から送信されるＩＤ信号をＲＦＩＤアンテナ４１で受信すると（ＳＴ１０２でＹｅｓ）、受信感度測定部４５において、ＩＤ信号の受信感度を測定する（ＳＴ１０３）。そして、受信信号情報として、ＩＤ信号に含まれるＩＤ情報と、受信感度の測定結果とを、通信部４２から制御装置５に送信する（ＳＴ１０４）。
【００８９】
次に、第１実施形態に係る制御装置５の動作手順について説明する。図７は、制御装置５の動作手順を示すフロー図である。
【００９０】
制御装置５では、通信部５１において、ＲＦＩＤリーダ４から送信される受信信号情報、すなわち、ＩＤ信号に含まれるＩＤ情報と受信感度の測定結果とを受信すると（ＳＴ２０１でＹｅｓ）、まず、入力情報取得部５５において、受信感度の測定結果に基づいて、全て（この場合、６つ）のＲＦＩＤタグ１のＩＤ信号を受信したか否かを判定する（ＳＴ２０２）。
【００９１】
ここで、全てのＲＦＩＤタグ１のＩＤ信号を受信した場合には（ＳＴ２０２でＹｅｓ）、受信感度が最も低いＲＦＩＤタグ１を通信無効状態のＲＦＩＤタグ１として選択する（ＳＴ２０３）。
【００９２】
なお、入力装置２のオフ状態、すなわち、入力装置２が受け台３に載置されていない状態でも、全てのＲＦＩＤタグ１のＩＤ信号を受信するが、この場合、受信感度が極端に低いＲＦＩＤタグ１がないため、受信感度が所定値以下となるＲＦＩＤタグ１が存在するか否かに応じて、オン状態とオフ状態とを識別して、受信感度が所定値以下となる場合に、通信無効状態と判定するようにしてもよい。
【００９３】
次に、所定時間連続して同一のＲＦＩＤタグ１を選択したか否かを判定する（ＳＴ２０６）。
【００９４】
ここで、所定時間連続して同一のＲＦＩＤタグ１を選択していない場合には（ＳＴ２０６でＮｏ）、ＳＴ２０１に戻る。
【００９５】
一方、所定時間連続して同一のＲＦＩＤタグ１を選択した場合には（ＳＴ２０６でＹｅｓ）、選択したＲＦＩＤタグ１に対応する指示情報（入力情報）を取得する（ＳＴ２０７）。次に、表示制御部５６において、指示情報を表示装置６に表示する（ＳＴ２０８）。そして、ＳＴ２０１に戻り、新たな入力操作に応じた処理に進む。
【００９６】
また、全てのＲＦＩＤタグ１のＩＤ信号を受信できない場合には（ＳＴ２０２でＮｏ）、次に、５つのＲＦＩＤタグ１のＩＤ信号を受信したか否かを判定する（ＳＴ２０４）。
【００９７】
ここで、５つのＲＦＩＤタグ１のＩＤ信号を受信した場合には（ＳＴ２０４でＹｅｓ）、ＩＤ信号を受信していないＲＦＩＤタグ１を通信無効状態のＲＦＩＤタグ１として選択する（ＳＴ２０５）。そして、ＳＴ２０６に進む。
【００９８】
一方、５つのＲＦＩＤタグ１のＩＤ信号を受信できない場合には（ＳＴ２０４でＮｏ）、表示制御部５６において、エラー画面を表示装置６に表示する（ＳＴ２０９）。
【００９９】
（第１実施形態の変形例）
次に、第１実施形態の変形例について説明する。なお、ここで特に言及しない点は前記の実施形態と同様である。図８は、第１実施形態の変形例に係る入力装置２を用いた入力操作の状況を示す説明図である。なお、図８には、入力装置２を上方から見た状態を示す。図９は、表示装置６に表示される指示画面を示す説明図である。
【０１００】
第１実施形態では、入力装置２が同一の向きで受け台３に載置された状態が所定時間継続した場合に、入力情報を確定するようにしたが、本実施形態では、所定の確定操作を行うことで、入力情報を確定する。これにより、１回の入力操作の度に確定操作を行うことで、１つの入力装置２で連続して複数の介護作業を指示することができる。
【０１０１】
具体的には、入力装置２に、確定用の表示部１２が設けられている。この確定用の表示部１２には、例えば「決める」の文字の画像が表示されている。また、制御装置５では、確定用の表示部１２と相反する側に設けられたＲＦＩＤタグ１が、通信無効状態のＲＦＩＤタグ１として選択されると、その直前の状態で選択された通信無効状態のＲＦＩＤタグ１に対応する指示情報を確定する。
【０１０２】
したがって、いずれかの表示部１２を上にして入力装置２を置いた後に、確定用の表示部１２を上にして入力装置２を置く操作を繰り返すことで、複数の介護作業を連続して指示することができる。
【０１０３】
図８に示す例では、入力装置２を、まず、介護者の画像が表示された表示部１２を上向きにした状態とし、次に、確定用の表示部１２を上向きにした状態とする。次に、歯磨きの画像が表示された表示部１２を上向きにした状態とし、次に、確定用の表示部１２を上向きにした状態とする。次に、ベッドの画像が表示された表示部１２を上向きにした状態とし、次に、確定用の表示部１２を上向きにした状態としている。
【０１０４】
この場合、図９に示すように、表示装置６には、同時に複数の介護作業を指示する指示画面が表示される。介護者は、この指示画面を見ることで、特定の被介護者（○○さん）が、複数の介護作業を指示したことを把握することができる。図９に示す例では、介護者が被介護者のところに来てもらい、歯を磨いてもらい、ベッドに連れて行ってもらうことを要望していることを把握することができる。
【０１０５】
（第２実施形態）
次に、第２実施形態について説明する。なお、ここで特に言及しない点は前記の実施形態と同様である。図１０は、第２実施形態に係る入力装置１０１の使用状態を示す説明図である。図１１は、入力装置１０１の断面図である。
【０１０６】
図１０に示すように、本実施形態では、入力装置１０１が、ユーザの腕部に腕輪のように装着する構成となっている。
【０１０７】
図１１に示すように、入力装置１０１では、本体１０２に腕部を挿入する穴１０３が設けられている。また、腕部は左右で１８０度回転させることができることから、本体１０２の３面に表示部１２が設けられており、また、その表示部１２と相反する側の３面にＲＦＩＤタグ１が設けられている。
【０１０８】
このように構成された入力装置１０１では、ユーザは、腕部を回転して希望する介護作業の表示部１２を上向きにした状態で入力装置１０１を受け台３に載置すればよい。このため、ユーザが、身体が不自由なために、ベッドに横になった状態のままでも入力操作を行うことができる。
【０１０９】
なお、本実施形態では、入力装置１０１の３面に表示部１２を設けて、３つの介護作業を選択できるようにしたが、表示部１２を２つ設けたり、腕部を回転できる範囲で４つ以上の表示部１２を設けたりするようにしてもよい。また、本実施形態では、ユーザの腕部に入力装置１０１を装着するようにしたが、ユーザの脚部などに装着する構成としてもよい。
【０１１０】
（第２実施形態の変形例）
次に、第２実施形態の変形例について説明する。なお、ここで特に言及しない点は前記の実施形態と同様である。図１２は、第２実施形態の変形例に係る入力装置１０１および受け台１１１の断面図である。なお、入力装置１０１は、第２実施形態（図１１参照）と同様である。
【０１１１】
本実施形態では、断面がコ字形状をなす受け台１１１を用いる。この受け台１１１は、左右の側壁部１１２を備え、この左右の側壁部１１２の間の凹所１１３に入力装置１０１が挿入されるようになっている。凹所１１３の底部には、金属材料からなる遮蔽部１１４が設けられており、この遮蔽部１１４に入力装置１０１の下面が近接する。
【０１１２】
これにより、受け台１１１の凹所１１３に入力装置１０１を挿入すると、入力装置１０１が左右の側壁部１１２により規制され、入力装置１０１の下面が遮蔽部１１４に近接した状態に安定に保持される。このため、入力装置１０１が装着されたユーザの腕部が動くことで入力装置１０１の下面側のＲＦＩＤタグ１が遮蔽部１１４から離間して通信有効状態となることを避けることができる。
【０１１３】
（第３実施形態）
次に、第３実施形態について説明する。なお、ここで特に言及しない点は前記の実施形態と同様である。図１３は、第３実施形態に係る入力装置１２１の断面図である。
【０１１４】
本実施形態では、入力装置１２１が、ユーザの腕部に装着されるリング状の本体１２２を備えている。この本体１２２の外周面には、複数の表示部１２が所定の間隔を置いて設けられており、各表示部１２の裏面側には、ＲＦＩＤタグ１が設けられている。
【０１１５】
また、本実施形態では、金属材料からなる遮蔽部１２５を備えた着用具１２６をユーザの腕部に固定し、この着用具１２６の外側に入力装置１２１が装着される。
【０１１６】
ユーザは、入力操作として、入力装置１２１の本体１２２を回転させて、希望する指示内容の表示部１２を遮蔽部１２５と整合する位置に合わせる操作を行う。この本体１２２を回転させる操作は、入力装置１２１が装着されていない側の手で行えばよい。これにより、遮蔽部１２５に近接するＲＦＩＤタグ１の通信が遮蔽部１２５により妨害されて、そのＲＦＩＤタグ１ではＩＤ信号を正常に送信できない通信無効状態となる。
【０１１７】
この場合、ＲＦＩＤタグ１を、これに対応する表示部１２と相反する側に配置した構成としてもよく、また、図１３のように、ＲＦＩＤタグ１を、これに対応する表示部１２と同じ側に配置した構成としてもよいが、この２つの構成では、遮蔽部１２５の位置が異なる。
【０１１８】
例えば、いずれかの表示部１２を上向きにした状態をその表示部１２の選択状態とすると、ＲＦＩＤタグ１を、これに対応する表示部１２と相反する側に配置した構成では、遮蔽部１２５が腕部の下側に位置するように装着する。一方、ＲＦＩＤタグ１を、これに対応する表示部１２と同じ側に配置した構成では、遮蔽部１２５が腕部の上側に位置するように装着する。
【０１１９】
なお、遮蔽部１２５を備えた着用具１２６は、ユーザの腕部に巻き付けるベルトで構成すればよいが、粘着剤などでユーザの腕部に貼り付ける構成としてもよい。
【０１２０】
また、入力装置を、内側のリングと外側のリングとを備え、外側のリングが内側のリングの周囲を回転する構成として、ユーザの腕部に固定される内側のリングに遮蔽部１２５を設け、外側のリングに表示部１２およびＲＦＩＤタグ１を設けるようにしてもよい。
【０１２１】
（第４実施形態）
次に、第４実施形態について説明する。なお、ここで特に言及しない点は前記の実施形態と同様である。図１４は、第４実施形態に係る入力装置２および受け台１３１を示す斜視図である。なお、入力装置２は、第１実施形態（図１参照）と同様である。
【０１２２】
前記の実施形態では、入力装置２が載置される受け台３が平板状に形成されていたが、本実施形態では、受け台１３１が、互いに直交する３つの板状部１３２（遮蔽部）を有する構成となっている。各板状部１３２は、金属材料で形成されている。
【０１２３】
このように構成された受け台１３１では、入力装置２の３面に接触するように入力装置２を受け台３に載置すると、入力装置２の３面に配置された３つのＲＦＩＤタグ１が各板状部１３２に近接するため、その３つのＲＦＩＤタグ１が同時に通信無効状態となる。これにより、制御装置５では、通信無効状態となる各ＲＦＩＤタグ１に対応する指示情報（入力情報）を取得することで、同時に３つの指示情報を取得することができ、同時に３つの介護作業を指示することができる。
【０１２４】
この場合、図９に示した例と同様に、表示装置６には、同時に３つの介護作業を指示する指示画面が表示される。
【０１２５】
また、受け台１３１の２つの板状部１３２に入力装置２の２面が接触し、残りの１つの板状部１３２に入力装置２が接触しないように入力装置２を載置すると、同時に２つの介護作業を指示することができる。また、入力装置２の１面のみが１つの板状部１３２に接触し、残りの２つの板状部１３２に入力装置２が接触しないように入力装置２を載置すると、１つの介護作業を指示することができる。
【０１２６】
なお、本実施形態では、受け台１３１が、互いに直交する３つの板状部１３２を有する構成としたが、互いに直交する２つの板状部１３２を有する構成としてもよい。この場合、入力装置２の２面が２つの板状部１３２に接触するように入力装置２を受け台１３１に載置することで、同時に２つの介護作業を指示することができる。
【０１２７】
（第５実施形態）
次に、第５実施形態について説明する。なお、ここで特に言及しない点は前記の実施形態と同様である。図１５は、第５実施形態に係る情報入力システムを示す説明図である。
【０１２８】
第１実施形態では、介護施設において、被介護者が希望する介護作業を入力装置２で指定するようにしたが、本実施形態では、ファーストフードなどの飲食店において、顧客が注文する商品を入力装置２で指定するようにする。入力装置２は、客席のテーブルごとに設けられ、顧客が客席で入力装置２を操作して商品を注文することができる。
【０１２９】
特に、本実施形態では、複数の入力装置２を用いて、種類ごとに複数の商品を組み合わせたセットメニューを注文する。入力装置２は商品の種類ごとに設けられており、各入力装置２で、該当する種類の商品を選択することができる。
【０１３０】
図１５に示す例では、左から順に、メインメニュー用の入力装置２と、サイドメニュー用の入力装置２と、ドリンク用の入力装置２とが設けられている。メインメニュー用の入力装置２では、メインメニューとして、ハンバーガー、チーズバーガー、照り焼きバーガーなどを選択することができる。サイドメニュー用の入力装置２では、サイドメニューとして、サラダ、フライドポテト、チキンナゲットなどを選択することができる。ドリンク用の入力装置２では、ドリンクとして、コーラ、コーヒー、オレンジジュースなどを選択することができる。
【０１３１】
この場合、入力装置２ごとに、通信無効状態となるＲＦＩＤタグ１を特定するため、ＲＦＩＤタグ１のＩＤ情報を、商品の種類、または商品の種類に対応する入力装置２の識別情報に対応付けて管理情報に登録する。また、顧客が入力装置２で注文の操作を行った客席のテーブルを特定するため、ＲＦＩＤタグ１のＩＤ情報を、客席のテーブルの識別情報に対応付けて管理情報に登録する。
【０１３２】
なお、本実施形態では、第１実施形態と同様に、入力装置２が同一の向きで受け台３に載置された状態が所定時間継続した場合に、指示情報（入力情報）を確定すればよい。
【０１３３】
（第５実施形態の変形例）
次に、第５実施形態の変形例について説明する。なお、ここで特に言及しない点は前記の実施形態と同様である。図１６は、情報入力システムにおける入力操作の状況を示す説明図である。なお、図１６には、入力装置２，１４１を上方から見た状態を示す。
【０１３４】
本実施形態では、複数の商品選択用の入力装置２の他に、確定用の入力装置１４１が設けられている。この確定用の入力装置１４１が受け台３に載置されると、残りの商品選択用の入力装置２の入力情報が確定される、すなわち、複数の商品選択用の入力装置２で指定された商品の注文が確定される。
【０１３５】
この場合、確定用の入力装置１４１には１つのＲＦＩＤタグ１のみ設ければよい。また、ＲＦＩＤタグ１は、確定を表す表示部１２と同じ面に設ければよい。
【０１３６】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１３７】
例えば、前記の実施形態では、入力装置の本体を立方体に形成して、その本体の６つの面にそれぞれ表示部およびＲＦＩＤタグを設けた構成としたが、入力装置はこのような構成に限定されるものではなく、表示部およびＲＦＩＤタグをそれぞれ少なくとも２つ設ければよい。例えば、入力装置の本体を板状に形成して、その本体の表裏２面にそれぞれ表示部およびＲＦＩＤタグを設けた構成としてもよい。また、入力装置の本体を立方体以外の多面体（正八面体など）に形成して、その本体の形状に応じた数の表示部およびＲＦＩＤタグを設けるようにしてもよい。さらに、入力装置の本体を球体に形成することも可能であり、この場合、球体を安定に支持できるように受け台を構成すればよい。
【０１３８】
また、前記の実施形態では、遮蔽物（受け台）を平板状に形成して、その上面に入力装置を載置するようにしたが、入力装置を遮蔽物の上に載置する構成に限定されるものではない。例えば垂直な壁面に遮蔽物を固定して、磁石、吸盤、粘着剤などの適宜な固着手段により、入力装置を遮蔽物に固着する構成としてもよい。
【０１３９】
また、前記の実施形態では、入力装置により、入力情報として、介護作業や商品を指定する指示情報を入力するようにしたが、この入力情報は、指示情報に限定されない。例えば、複数のテーブルを自由に利用できるオープンスペース（フリースペース）において、各テーブルの利用用途（会議、休憩など）を入力装置により入力するようにしてもよい。これにより、各テーブルの利用用途を表示装置に表示することで、テーブルを利用したい人物が、各テーブルの利用用途を容易に確認することができ、優先度の高い利用用途（例えば会議）でテーブルを利用したい人物が、自分より優先度の低い利用用途（例えば休憩）で利用中の人物に退席を依頼することで、オープンスペースの適切な利用を促進することができる。
【０１４０】
また、前記の実施形態では、制御装置が、指示の受け手となる人物に指示内容を通知するため、入力装置により入力された指示情報を表示装置に表示するようにしたが、指示の受け手となる人物が所持する携帯端末に制御装置から指示情報を送信して、携帯端末で指示内容を通知するようにしてもよい。この場合、携帯端末で音声や振動などで着信を通知した上で指示内容を画面表示するようにすればよいが、音声や振動自体で指示内容を通知するようにしてもよい。例えば、指示内容を表す合成音声を携帯端末から出力したり、指示内容に応じたパターンで携帯端末を振動させたりしてもよい。また、複数の指示が同時に行われた場合には、複数の指示内容を組み合わせた文章を生成して、その文章の合成音声を出力するようにしてもよい。
【産業上の利用可能性】
【０１４１】
本発明に係る入力装置、制御装置、情報入力システムおよび情報入力方法は、入力装置の重量を軽減して身体が不自由な人物でも容易に操作することができ、また、入力装置の構造を簡素化して製造コストを低減することができる効果を有し、ユーザが行う入力操作に応じた情報を入力する入力装置、入力情報を取得する制御装置、ユーザが行う入力操作に応じた入力情報を取得する情報入力システム、およびユーザが行う入力操作に応じて情報を入力する情報入力方法などとして有用である。
【符号の説明】
【０１４２】
１  ＲＦＩＤタグ
２  入力装置
１０１  入力装置
１２１  入力装置
１４１  入力装置
３，１１１，１３１  受け台（遮蔽物）
４  ＲＦＩＤリーダ
５  制御装置
６  表示装置
１１，１０２，１２２  本体
１２  表示部
４１  ＲＦＩＤアンテナ
４２  通信部
４３  制御部
４４  記憶部
５１  通信部
５２  制御部
５３  記憶部
１０３  穴
１１３  凹所
１１４，１２５  遮蔽部
１２６  着用具
１３２  板状部
【図１】
2019101953.tif 000003
【図２】
2019101953.tif 000004
【図３】
2019101953.tif 000005
【図４】
2019101953.tif 000006
【図５】
2019101953.tif 000007
【図６】
2019101953.tif 000008
【図７】
2019101953.tif 000009
【図８】
2019101953.tif 000010
【図９】
2019101953.tif 000011
【図１０】
2019101953.tif 000012
【図１１】
2019101953.tif 000013
【図１２】
2019101953.tif 000014
【図１３】
2019101953.tif 000015
【図１４】
2019101953.tif 000016
【図１５】
2019101953.tif 000017
【図１６】
2019101953.tif 000018